(57)【要約】【課題】  ガス透過性を改良できる安価なスピアバルブ用の封止材を提供する。【解決手段】  樽の口金１に流通過程において内部の飲料が漏洩しないように取り付けられるスピアバルブ用封止材において、前記スピアバルブは、前記口金１に螺合されるスピアバルブボディ２と該スピアバルブボディ２と係合するチューブ４との間にパッキン３が一部を外気に露出させて取り付けられており、前記パッキン３の外気露出部へガスバリア性を有するシート状の封止材５を粘着剤５１を介して貼着せしめたことを特徴とするスピアバルブ用封止材。【選択図】  図１
2006017260.tif 000002
【特許請求の範囲】
【請求項１】
樽の口金に流通過程において内部の飲料が漏洩しないように取り付けられるスピアバルブ用封止材において、
前記スピアバルブは、前記口金に螺合されるスピアバルブボディと該スピアバルブボディと係合するチューブとの間にパッキンが一部を外気に露出させて取り付けられており、
前記パッキンの外気露出部へガスバリア性を有するシート状の封止材を粘着剤を介して貼着せしめたことを特徴とするスピアバルブ用封止材。
【請求項２】
前記封止材は前記パッキンとスピアバルブボディ及び／またはチューブに覆い被さるよう貼着したことを特徴とする請求項１記載のスピアバルブ用封止材。
【請求項３】
前記封止材はアルミニウムあるいはステンレススティールの金属箔からなることを特徴とする請求項１または２記載のスピアバルブ用封止材。
【請求項４】
前記封止材はポリエチレンあるいはポリエチレンテレフタレートの樹脂フィルムからなることを特徴とする請求項１または２記載のスピアバルブ用封止材。
【発明の詳細な説明】
【技術分野】
【０００１】
この出願の発明は、飲料用の樽に取り付けられるスピアバルブの封止材に関するものであり、さらに詳しくは、口金に取付けられたスピアバルブボディと、該スピアバルブボディと係合するチューブとの間にあるパッキンへ装着されて、酸素等に対するガスバリア性を発揮することのできるスピアバルブ用封止材に関するものである。
【背景技術】
【０００２】
従来、炭酸ガスを樽に導入し、その圧力によって樽内の飲料を抽出するためのディスペンスヘッドとこれを樽へ取り付けるスピアバルブの構造が知られている。（例えば特許文献１参照）
このような抽出部を構成するスピアバルブは、図面によって説明すると図１に示すように内部の飲料が漏洩しないようにその口金１のスピアバルブボディ２にパッキン３が装着されており、そのパッキン３の装着構造は、前記口金１に螺合されるスピアバルブボディ２と、該スピアバルブボディ２内にその上部が収納されると共に前記スピアバルブボディ２と係合するチューブ４との間に取り付けられるから、前記パッキン３の一部分は外気側に露出する構造となっている。（例えば特許文献２参照）
【特許文献１】特開２００２−８００９２号公報
【特許文献２】特開平０９−１１２６９３号公報
【発明の開示】
【発明が解決しようとする課題】
【０００３】
上記のスピアバルブは樽の流通過程において内部のガス及び飲料が漏洩しないようにスピアバルブボディ２とチューブ4間にパッキン３が取り付けられており、該パッキン３には食品安全性の高いシリコーンゴムが一般的に用いられている。しかしこのシリコーンゴムは低価格であるが酸素等のガス透過性が良いという難点を有している。すなわち、パッキン３から透過した酸素は内部の飲料に対して酸化させ味を低下させるというきわめて悪い影響を与える。
そこでその対策として、酸素等のガスを透過しない高性能な例えばフッ素ゴム等の合成ゴムを用いたパッキン３が考えられたが、高価であるので普及するに至っていない。現在では応急的に前記パッキン３の上面へ紙材とシュリンク材との積層材を貼り付けて対応している。（図示していない）
このような課題に対してガス透過性を改良できる安価なスピアバルブ用の封止材を提供するために本発明を開発したものである。
【課題を解決するための手段】
【０００４】
この出願の発明は上記の課題を解決するため、第1には、樽の口金１に流通過程において内部の飲料が漏洩しないように取り付けられるスピアバルブ用封止材であって、前記スピアバルブは前記口金１に螺合されるスピアバルブボディ２と、該スピアバルブボディ２と係合するチューブ４との間にパッキン３がその一部を外気に露出させて取り付けられており、前記パッキン３の外気露出部へガスバリア性を有するシート状の封止材５を粘着剤５１を介して貼着せしめたスピアバルブ用封止材を提供する。
第２には、前記スピアバルブ用封止材５を前記パッキン３とスピアバルブボディ２及び／またはチューブ４に覆い被さるよう貼着したスピアバルブ用封止材を提供する。
第３には、前記封止材５はアルミニウムあるいはステンレススティールの金属箔からなるスピアバルブ用封止材を提供する。
第４には、前記封止材５はポリエチレンあるいはポリエチレンテレフタレートの樹脂フィルムからなるスピアバルブ用封止材を提供する。
【発明の効果】
【０００５】
上記第１のスピアバルブ用封止材によれば、ガスバリア性の低い安価なゴム材を用いても、必要かつ十分なガスバリア性を発揮させ、酸素透過による飲料への影響を極僅かとして味の低下を防ぐことができるものとなる。
上記第２のスピアバルブ用封止材によれば、前記封止材５を前記パッキン３とスピアバルブボディ２に覆い被さるよう貼着したことにより、上記１の効果が得られると共に正確な密封性能を発揮する封止材５を提供できる。
上記第３及び第４のスピアバルブ用封止材によれば、前記封止材５を金属箔あるいは樹脂フィルムから成形したことにより、上記１の効果が得られると共に安価で取り扱い性に優れる封止材５を提供できる。
【発明を実施するための最良の形態】
【０００６】
本発明に用いられる封止材５の材質には、食品に対する安全性及びコスト、ガスバリア性などを考慮した場合、金属材ではアルミニウムとかステンレススティールが適しており、合成樹脂ではポリエチレンあるいはポリエチレンテレフタレートが薦められる。
そしてこれらのひとつからなる封止材５を貼着させる粘着剤５１としては、ディスペンスヘッドを取り付け時に封止材５を速やかに剥離しなければならないので弱粘着であることが求められ、ここでは当然食品安全性の基準を満たすもので、アクリル系の粘着剤５１が薦められる。ただし、必要に応じて食品安全基準内の他の粘着剤も自在に選択できる。
【実施例１】
【０００７】
図１は、この発明のスピアバルブ用封止材が貼着された一実施形態を示したものである。この本発明ではパッキン３の外気に露出する側へガスバリア性に優れるシート状の封止材５を設けており、該封止材５は粘着剤５１をもって貼着形成している。
図２は、この出願の発明の封止材５の詳細図を示したものであり、スピアバルブボディ２とかチューブ４とパッキン３に合った形状に造形し、これらを覆うように貼り付ける。
本発明の封止材５がガスバリア性を有効に発揮するためには、金属箔例えばアルミニウム材では３０〜１００μ、樹脂フィルム例えばポリエチレンテレフタレート材では１５〜２００μ程度の厚みが求められる。
ここで用いた粘着剤５１は、内容液抽出用のディスペンスヘッドを取り付け時に前記封止材５を速やかに前面剥離しなければならないので弱粘着あるいは剥離容易であることが求められ、ここにはアクリル系の粘着剤が薦められる。ただし、必要に応じて他の粘着剤例えばゴム系粘着材なども選択できる。
【０００８】
ここでは従来用いられていた紙材にシュリンク材を貼り合わせた積層材と、本発明で得られる封止材５を用意し、これらをパッキン３へ貼り付けて、酸素バリア性試験と官能試験をそれぞれ行ったものの比較を表１に示す。
ここで得られた試験では、表１に示す実施結果とおり、酸素バリア性を向上させることができ、また官能試験においても中身への影響が最小限のものとなったことが確認された。
【０００９】
【表１】
2006017260.tif 000003
【図面の簡単な説明】
【００１０】
【図１】図１はスピアバルブと封止材の実施例を示す断面図である。
【図２】図２は本発明の封止材の拡大断面図である。
【符号の説明】
【００１１】
１    口金
２    スピアバルブボディ
３    パッキン
４    チューブ
５    封止材
５１  粘着剤
【図１】
2006017260.tif 000004
【図２】
2006017260.tif 000005